(57)【要約】  データセンタ内にサーバラックとバックアップ用電池ラックが設置され、バックアップ用電池ラックで使用される複数の電池モジュールは、サーバラックの非常用電源として一次使用済みの複数の電池モジュールである。監視装置は、バックアップ用電池ラックに要求される仕様と、サーバラックで一次使用済みの電池モジュールの履歴特性に基づき、バックアップ用電池ラックにおける複数の電池モジュールのシステム構成を決定する。
2019207852.tif 000002
【特許請求の範囲】
【請求項１】
データセンタ内に設置され、サーバと、前記サーバに非常用電源を供給可能な少なくとも１つの電池モジュールと、を有するサーバラックと、
前記データセンタ内に設置され、前記サーバ以外の設備に、非常用電源を供給可能な複数の電池モジュールを有するバックアップ用電池ラックと、
前記電池モジュールごとの電池特性を監視する監視装置と、を備え、
前記バックアップ用電池ラックで使用される複数の電池モジュールは、前記サーバラックの非常用電源として一次使用済みの複数の電池モジュールであり、
前記監視装置は、前記バックアップ用電池ラックに要求される仕様と、前記サーバラックで一次使用済みの電池モジュールの履歴特性に基づき、前記バックアップ用電池ラックにおける前記複数の電池モジュールのシステム構成を決定する、
データセンタのバックアップ用電源システム。
【請求項２】
前記バックアップ用電池ラックは、複数の列を備え、
各列には、
着脱自在な複数の一次使用済みの電池モジュールと、
前記複数の一次使用済みの電池モジュールの充放電を制御するＤＣ／ＤＣコンバータと、
が配置され、
前記複数の列に配置された複数のＤＣ／ＤＣコンバータは、並列に接続され、
前記監視装置は、前記バックアップ用電池ラック内の複数の電池ブロックの電池性能が近づくように、前記バックアップ用電池ラック内で使用される複数の一次使用済みの電池モジュールの直並列構成を決定する、
請求項１に記載のデータセンタのバックアップ用電源システム。
【請求項３】
前記監視装置は、前記複数の電池ブロックの動的な放電特性が近づくように、前記バックアップ用電池ラック内で使用される複数の一次使用済みの電池モジュールの直並列構成を決定する、
請求項２に記載のデータセンタのバックアップ用電源システム。
【請求項４】
前記複数の列に配置された複数のＤＣ／ＤＣコンバータは、前記複数の電池ブロックの出力電圧が共通の目標電圧を維持するように、各電池ブロックに含まれる複数の一次使用済みの電池モジュールを放電制御する、
請求項２または３に記載のデータセンタのバックアップ用電源システム。
【請求項５】
前記監視装置は、各電池ブロックの使用ＳＯＣ(State Of Charge)範囲をもとに、前記バックアップ用電池ラックに要求される仕様を満たすように、前記バックアップ用電池ラック内で使用される複数の一次使用済みの電池モジュールの直並列構成を決定する、
請求項２から４のいずれか１項に記載のデータセンタのバックアップ用電源システム。
【請求項６】
前記各列の複数の一次使用済みの電池モジュールは、各列において下から順に格納される、
請求項１から５のいずれか１項に記載のデータセンタのバックアップ用電源システム。
【請求項７】
データセンタ内に設置され、サーバと、前記サーバに非常用電源を供給可能な少なくとも１つの電池モジュールと、を有するサーバラックと、前記電池モジュールごとの電池特性を監視する監視装置と、を備えるデータセンタのバックアップ用電源システムに含まれ、前記データセンタ内に設置され、前記サーバ以外の設備に、非常用電源を供給可能な複数の電池モジュールを有するバックアップ用電池ラックであって、
前記バックアップ用電池ラックで使用される複数の電池モジュールは、前記サーバラックの非常用電源として一次使用済みの複数の電池モジュールであり、
前記バックアップ用電池ラックにおける前記複数の電池モジュールのシステム構成は、前記監視装置により、前記バックアップ用電池ラックに要求される仕様と、前記サーバラックで一次使用済みの電池モジュールの履歴特性に基づき、決定される、
データセンタのバックアップ用電池ラック。
【発明の詳細な説明】
【技術分野】
【０００１】
本発明は、複数の電池モジュールを使用する、データセンタのバックアップ用電源システム、バックアップ用電池ラックに関する。
【背景技術】
【０００２】
データセンタでは電源障害時の対策として、停電時に発電機（例えば、ディーゼル発電機）が起動するまでの数分間の電源を保持するために、二次電池（例えば、鉛電池）によるバックアップ用電源システムが使用されることが一般的である。この二次電池によるバックアップ用電源システムは、データセンタの空調や照明等の施設全体の電力をバックアップするためのもので、商用電源が停止した場合に有効である。このバックアップ電池の出力電圧は通常、ＤＣ１００〜１０００Ｖ程度に設定され、各データセンタの規模に応じて決定される。【０００３】
鉛電池の寿命は通常１〜３年であり、バックアップ電池に鉛電池を使用した場合、鉛電池自体の費用に加えて、鉛電池の交換費用及びリサイクル費用が大きくかかる。またディーゼル発電機の燃料費用も必要であり、データセンタ運営者にとってバックアップ電源にかかる費用が大きな負担となっている。またメンテナンス等で鉛電池の交換時に商用電源の停電が発生した場合は、バックアップが十分に機能しないリスクも存在する。【０００４】
近年はフィンテックやｅコマース等の普及により、データセンタ側の信頼性(可用性)がより強く求められるようになってきている。それに伴い、各サーバラックの個別の電源トラブルに対してサーバ内部のデータを保護するため、データセンタ全体の電源バックアップに加えて、サーバラックそれぞれに二次電池を搭載して、各サーバラックを個別に電源バックアップすることが提案されている。サーバラックのバックアップ電池としては、設置スペースを小さくできるリチウムイオン電池を用いることが有力である。【０００５】
バックアップ電池は、発生頻度が低い停電や電源障害に備えて、基本的に満充電状態を保ち続ける必要がある。従ってバックアップ電池は満充電電圧などの特性が劣化しやすく、リチウムイオン電池を使用した場合でも３〜５年で交換する必要が生じる。このようにバックアップ電池の廃棄処理が作業的にも費用的にも負担となる。【０００６】
上記を背景に、近年ではある環境で使用した使用済み二次電池を別の環境用途で再利用することが増えている。例えばデータセンタなどの電源バックアップ用途で使用した二次電池（モジュール）は電力保持特性（電圧と容量）は劣化するが、瞬時出力電流量や充放電サイクルには余裕がある場合が多い。そのため使用済みの二次電池を別の環境向けに転用することで、電池にかかる交換費用等のライフサイクルコストを下げることが行われている。【０００７】
特許文献１は、車両等に搭載されている複数のスタックで構成されたバッテリパックの再利用、リビルト等に関し、各スタックまたはセルの電池状態（満充電容量、内部抵抗等）に基づいて再利用、リビルトの判断を行う手法を開示する。特許文献２は、車両に搭載された組電池の再利用に関し、車両の廃車時や新しい組電池に交換した際、古い組電池を回収し、電池モジュールごとに解体し電池特性の測定結果に基づいて再利用可能か判断する手法を開示する。特許文献３は、直列に接続された蓄電装置に対して電池状態や使用期間等に応じて充放電深度を決めて制御することを開示する。
【先行技術文献】
【特許文献】
【０００８】
【特許文献１】国際公開第２０１１／１６２０１４号
【特許文献２】特開２０１１−２１６３２９号公報
【特許文献３】特開２００３−２４４８５４号公報
【発明の概要】
【０００９】
一次利用済みの二次電池を二次利用するためにはコストがかかり、そのコストは、一次利用済みの二次電池の残価値（充電容量、劣化度、充電サイクル、放電電流量等）に対して、無視し得ないものである。通常、一次利用を終えた二次電池は回収され、次の利用先の仕様に合わせて分解され再構築（リパック）される。その後、目的の二次利用先に配送されて再設置される。これらの回収にかかる回収費用や再構築のための分解・再構成費用、運送費用、設置費用などが二次電池をリユースする際に大きな負担となる。さらに二次利用される二次電池は残寿命が短く、交換頻度が多くなりがちである。
【００１０】
これら一連のコストに見合うだけの価値が、二次利用される二次電池に残存していないと考えられることも少なくない。そもそも二次利用される二次電池の残価値は評価が難しく、二次電池の残価値を明確にすることは難しい。また二次利用される二次電池は、その後の利用方法によっても残寿命が変わるため再利用によりどの程度の期間、利用可能なのかを特定することも難しい。
【００１１】
本発明はこうした状況に鑑みなされたものであり、その目的は、データセンタで使用される二次電池のリユースを低コストで実現する技術を提供することにある。
【００１２】
上記課題を解決するために、本発明のある態様のデータセンタのバックアップ用電源システムは、データセンタ内に設置され、サーバと、前記サーバに非常用電源を供給可能な少なくとも１つの電池モジュールと、を有するサーバラックと、前記データセンタ内に設置され、前記サーバ以外の設備に、非常用電源を供給可能な複数の電池モジュールを有するバックアップ用電池ラックと、前記電池モジュールごとの電池特性を監視する監視装置と、を備える。前記バックアップ用電池ラックで使用される複数の電池モジュールは、前記サーバラックの非常用電源として一次使用済みの複数の電池モジュールであり、前記監視装置は、前記バックアップ用電池ラックに要求される仕様と、前記サーバラックで一次使用済みの電池モジュールの履歴特性に基づき、前記バックアップ用電池ラックにおける前記複数の電池モジュールのシステム構成を決定する。
【００１３】
なお、以上の構成要素の任意の組み合わせ、本発明の表現を方法、装置、システムなどの間で変換したものもまた、本発明の態様として有効である。
【００１４】
本発明によれば、データセンタで使用される二次電池のリユースを低コストで実現することができる。
【図面の簡単な説明】
【００１５】
【図１】本発明の実施の形態に係るデータセンタＣのバックアップ用電源システムの全体構成を示す図である。
【図２】バックアップ用電池ラックの外観構成例を示す図である。
【図３】本発明の実施の形態に係るデータセンタのバックアップ用電源システムの機能ブロックを示す図である。
【図４】本発明の実施の形態に係るバックアップ用電池ラックの回路構成例を示す図である。
【図５】本発明の実施の形態に係るバックアップ用電源システムの基本動作を示すフローチャートである。
【図６】図５のフローチャートのステップＳ２３におけるシステム構成決定処理の一例を示すサブルーチンフローチャートである。
【図７】図７（ａ）、（ｂ）は、定電流放電時の複数の電池ブロックのＳＯＣの動特性を説明するための図である。
【図８】変形例に係る電池ブロックの構成例１を示す図である。
【図９】変形例に係る電池ブロックの構成例２を示す図である。
【発明を実施するための形態】
【００１６】
図１は、本発明の実施の形態に係るデータセンタＣ１のバックアップ用電源システムの全体構成を示す図である。図１に示すデータセンタＣ１には、バックアップ電源室Ｒ１、サーバ室Ｒ２及び監視室Ｒ３が設けられている。サーバ室Ｒ２には、複数のサーバラック２０が設置されている。各サーバラック２０には、複数のサーバＳＶ１と、少なくとも１つの電池モジュールＭ１が格納されている。なお図１では、簡略化のためそれぞれ１つのサーバ／電池モジュールにのみ符号を付している。各サーバラック２０に格納されている電池モジュールは、専ら同じサーバラック内に格納されているサーバに非常用電源を供給するための電池モジュールであり、基本的にサーバラック外の負荷に電源を供給することはない。
【００１７】
バックアップ電源室Ｒ１には、複数のバックアップ用電池ラック１０が設置されている。複数のバックアップ用電池ラック１０にはそれぞれ、複数の電池モジュールが格納される。複数のバックアップ用電池ラック１０は、データセンタＣ１内の負荷４０全体に非常用電源を供給するためのバックアップ電源である。データセンタＣ１内の負荷４０には例えば、空調機器や照明機器等が含まれる。なお本実施の形態では、サーバラック２０内のサーバＳＶ１はバックアップ用電池ラック１０のバックアップ対象から除外して考える。なお監視室Ｒ３内の監視装置３０はバックアップ対象に含めて考える。
【００１８】
バックアップ用電池ラック１０に使用される電池モジュールは、サーバラック２０のバックアップ電池として一次利用が終了した、一次使用済みの電池モジュールＭｎ（ｎは任意の自然数）である。なおデータセンタＣ１の稼働当初は、新品の電池モジュール又はデータセンタＣ１外で使用された一次使用済みの電池モジュールが使用される。
【００１９】
監視室Ｒ３の監視装置３０は、サーバ室Ｒ２内のサーバラック２０内の電池モジュールと、バックアップ電源室Ｒ１内のバックアップ用電池ラック１０内の電池モジュールの状態及び特性を監視する。
【００２０】
図２は、バックアップ用電池ラック１０の外観構成例を示す図である。バックアップ用電池ラック１０は、電池モジュールＭｎ又はＤＣ／ＤＣコンバータを収容するための、マトリクス状に形成された複数の収容スペースを有する。図２に示す例では、最上段がＤＣ／ＤＣコンバータを格納するＤＣ／ＤＣコンバータ格納部１０ａ、それ以外の段が電池モジュールＭｎを格納する電池モジュール格納部１０ｂになっている。最上段に格納される複数のＤＣ／ＤＣコンバータは共通の直流バスにより電力供給先に接続されている。
【００２１】
図２に示す例では、１つの縦方向の列で１つの電池ブロックＢｎを構成している。１つの電池ブロックＢｎは、１つのＤＣ／ＤＣコンバータと、直列接続された複数の電池モジュールを備えている。当該ＤＣ／ＤＣコンバータは、当該複数の電池モジュールの充放電を制御する。
【００２２】
バックアップ用電池ラック１０の背面には、電池ブロックＢｎごとに縦方向に電力線（例えば、バスバー）と通信線が設置されており、各収容スペースの奥には、当該電力線と通信線に接続するための端子が設置されている。作業者は、収容スペースに電池モジュールＭｎを装着して、電池モジュールＭｎの端子と収容スペース内の端子を接続することにより、電池モジュールＭｎを電池ブロックＢｎに電気的に接続することができる。
【００２３】
このように電池モジュールＭｎはバックアップ用電池ラック１０に対して着脱自在であり、電池ブロックＢｎごとに直列数を調整可能である。バックアップ用電池ラック１０に格納される複数の電池モジュールの直並列構成は、データセンタＣ１の規模に応じた要求仕様（電圧、電流、電力、容量、放電出力特性など）を満たすように決定される。並列数は、電池ブロックの数により調整してもよいし、１つの電池ブロック内の接続構成を直並列構成にすることにより調整してもよい。
【００２４】
図３は、本発明の実施の形態に係るデータセンタＣ１のバックアップ用電源システム１の機能ブロックを示す図である。図３では、バックアップ用電池ラック１０及びサーバラック２０内に電池モジュールＭｎのみを描いており、他の構成要素は省略して描いている。なおバックアップ用電池ラック１０の詳細な構成は後述の図４で説明する。
【００２５】
各電池モジュールＭｎは電池部Ｍｎａと計測部Ｍｎｂを備える。電池部Ｍｎａは、直列または直並列接続された複数のセルを含む。セルには、リチウムイオン電池セル、ニッケル水素電池セル、鉛電池セル等を用いることができる。以下、本実施の形態ではリチウムイオン電池セルを使用する例を想定する。計測部Ｍｎｂは、複数のセルの電圧、電流、温度を検出する。計測部Ｍｎｂは、検出したセルの電圧、電流、温度を通信線を介して監視装置３０に送信する。各電池モジュールＭｎの計測部Ｍｎｂと監視装置３０間の通信にはＲＳ−４８５規格、ＴＣＰ−ＩＰ規格、ＣＡＮ規格等に準拠した通信を使用することができる。
【００２６】
監視装置３０は、制御部３１、記憶部３２、通信部３３、表示部３４、操作部３５を備える。監視装置３０は少なくとも１台のサーバ又はＰＣで構築される。制御部３１はハードウェア資源とソフトウェア資源の協働により実現される。ハードウェア資源として、ＣＰＵ、ＧＰＵ、ＤＳＰ、ＦＰＧＡ、その他のＬＳＩを利用できる。ソフトウェア資源としてオペレーティングシステム、アプリケーション等のプログラムを利用できる。
【００２７】
記憶部３２は使用履歴データベース３２ａを含む。記憶部３２はＨＤＤ、ＳＳＤなどの大容量の不揮発性メモリを備える。通信部３３は、所定の通信規格に従った通信処理を実行する。通信部３３は、各電池モジュールＭｎの計測部Ｍｎｂから送信されてくる監視データを受信して制御部３１に出力する。制御部３１は、通信部３３により受信した監視データをもとに、各電池モジュールＭｎの使用履歴データを使用履歴データベース３２ａに保存する。
【００２８】
表示部３４は、液晶ディスプレイ又は有機ＥＬディスプレイ等を含み、制御部３１から供給される情報を画面に表示する。操作部３５は、キーボード、マウス、タッチパネル等を含み、操作者による物理的な操作を電気信号に変換して制御部３１に出力する。
【００２９】
図４は、本発明の実施の形態に係るバックアップ用電池ラック１０の回路構成例を示す図である。図４に示す例では、バックアップ用電池ラック１０は第１電池ブロックＢ１、第２電池ブロックＢ２、第３電池ブロックＢ３の３つの電池ブロックを備える。
【００３０】
第１電池ブロックＢ１は、第１ＤＣ／ＤＣコンバータ１１、直列接続された複数の電池モジュールＭ１１〜Ｍ１ｎ、第１ブロック管理部１１ａを備える。第２電池ブロックＢ２は、第２ＤＣ／ＤＣコンバータ１２、直列接続された複数の電池モジュールＭ２１〜Ｍ２ｎ、第２ブロック管理部１２ａを備える。第３電池ブロックＢ３は、第３ＤＣ／ＤＣコンバータ１３、直列接続された複数の電池モジュールＭ３１〜Ｍ３ｎ、第３ブロック管理部１３ａを備える。
【００３１】
第１ＤＣ／ＤＣコンバータ１１、第２ＤＣ／ＤＣコンバータ１２及び第３ＤＣ／ＤＣコンバータ１３は、電力変換装置５０に対して並列に接続される。電力変換装置５０は、一般的なパワーコンディショナで構成することができ、双方向インバータを含む。電力変換装置５０は、複数の電池ブロックＢ１〜Ｂ３から放電された直流電力を交流電力に変換して、施設内のバックアップ対象の負荷４０又は商用電力系統２に出力する。また電力変換装置５０は、商用電力系統２から入力される交流電力を直流電力に変換して並列接続された複数の電池ブロックＢ１〜Ｂ３を充電する。なお電力変換装置５０は、バックアップ用電池ラック１０内に搭載することも可能である。
【００３２】
第１ブロック管理部１１ａ〜第３ブロック管理部１３ａ及びマスタ管理部５０ａのそれぞれは、ハードウェア資源とソフトウェア資源の協働により実現される。ハードウェア資源として、マイクロコンピュータ、ＤＳＰ、ＦＰＧＡ、その他のＬＳＩを利用できる。ソフトウェア資源としてファームウェア等のプログラムを利用できる。なおマスタ管理部５０ａを設けずに、第１ブロック管理部１１ａ〜第３ブロック管理部１３ａのいずれかが、マスタ管理部の機能を兼ねてもよい。
【００３３】
第１電池ブロックＢ１の各電池モジュールＭ１１−Ｍ１ｎの計測部は、各電池モジュールＭ１１−Ｍ１ｎ内の複数のセルの電圧、電流、温度を検出し、検出した複数のセルの電圧、電流、温度を、通信線を介して第１ブロック管理部１１ａに送信する。第１ブロック管理部１１ａは受信した複数のセルの電圧、電流、温度をもとに、各セルのＳＯＣ(State Of Charge)及びＳＯＨ(State Of Health）を推定する。
【００３４】
ＳＯＣは、ＯＣＶ（Open Circuit Voltage）法または電流積算法により推定することができる。ＯＣＶ法は、計測部により計測されるセルのＯＣＶと、予め保持されるＳＯＣ−ＯＣＶカーブの特性データをもとにＳＯＣを推定する方法である。電流積算法は、計測部により計測されるセルの充放電開始時のＯＣＶと、計測部により計測される電流の積算値をもとにＳＯＣを推定する方法である。
【００３５】
ＳＯＨは、初期の満充電容量に対する現在の満充電容量の比率で規定され、数値が低いほど劣化が進行していることを示す。二次電池の劣化は、保存劣化とサイクル劣化の和で近似できる。保存劣化は、充放電中であるか否かに関わらず、二次電池の各時点における温度、各時点におけるＳＯＣに応じて経時的に進行する劣化である。各時点におけるＳＯＣが高いほど（１００％に近いほど）、又は各時点における温度が高いほど、保存劣化速度が増加する。サイクル劣化は、充放電の回数が増えるにつれ進行する劣化である。サイクル劣化は、使用ＳＯＣ範囲、温度、電流レートに依存する。使用ＳＯＣ範囲が広いほど、温度が高いほど、又は電流レートが高いほど、サイクル劣化速度が増加する。
【００３６】
また第１ブロック管理部１１ａは、各計測部から受信した各セルの電圧、電流、温度を、通信線を介して監視装置３０に送信する。なお第１ブロック管理部１１ａは、各計測部から受信したデータを監視装置３０にそのまま転送してもよいし、集約または要約したデータを送信してもよい。また非常用電源として放電したときのデータのみを送信してもよい。また第１ブロック管理部１１ａは、監視装置３０から各種指令を受信する。第１ブロック管理部１１ａは、第１電池ブロックＢ１内の各電池モジュールＭ１１−Ｍ１ｎの状態、及び監視装置３０からの指令に基づき第１ＤＣ／ＤＣコンバータ１１の充放電を制御する。
【００３７】
また第１ブロック管理部１１ａは、第１電池ブロックＢ１内のセルのいずれかに異常が発生した場合、マスタ管理部５０ａ、他のブロック管理部（第２ブロック管理部１２ａ及び第３ブロック管理部１３ａ）及び監視装置３０に異常発生通知を送信する。
【００３８】
第２ブロック管理部１２ａ及び第３ブロック管理部１３ａの動作は、第１ブロック管理部１１ａの動作と同様であるため説明を省略する。
【００３９】
マスタ管理部５０ａは、監視装置３０からの指令に基づき電力変換装置５０を制御する。なお電力変換装置５０の運転中に、第１ブロック管理部１１ａ〜第３ブロック管理部１３ａのいずれかから異常発生通知を受信したとき、マスタ管理部５０ａは電力変換装置５０の運転を停止させる。なお、使用ＳＯＣ範囲が狭く設定されていたり、予備の電池ブロックを有するなど、電力容量にマージンがある場合、監視装置３０は、異常発生した電池ブロックの充電又は放電を停止するように、異常発生通知したブロック管理部に指令し、停止に伴う電力容量の減少分をマージンで補うように他のブロック管理部（予備の電池ブロックを管理するブロック管理部も含む）に指令する。さらに監視装置３０は、電力変換装置５０の運転を継続するようにマスタ管理部５０ａに指令し、マスタ管理部５０ａは、監視装置３０からの指令に基づき電力変換装置５０の運転を継続することもある。また、監視装置３０は、異常発生した電池ブロックの充電又は放電を停止するように、異常発生通知をしたブロック管理部に指令し、停止に伴う電力容量の減少分、入力又は出力を絞るようにマスタ管理部５０ａに指令し、マスタ管理部５０ａは、監視装置３０からの指令に基づき電力変換装置５０の運転を継続することもある。
【００４０】
サーバラック２０内の回路構成例は図示しないが、サーバラック２０内に格納される複数の電池モジュールの接続構成は、サーバラック２０内のサーバの要求仕様を満たすように設計される。サーバラック２０内にはインバータと管理部が格納される。当該インバータは、商用電力系統２から供給される交流電力を直流電力に変換して、サーバラック２０内の複数の電池モジュールを充電する。またインバータは、複数の電池モジュールから放電された直流電力を交流電力に変換してバックアップ対象のサーバに出力する。
【００４１】
サーバラック２０内の管理部は、サーバラック２０内の各電池モジュールの計測部から各セルの電圧、電流、温度を受信する。当該管理部は、各計測部から受信した各セルの電圧、電流、温度を、通信線を介して監視装置３０に送信する。なお当該管理部は、各計測部から受信したデータをそのまま監視装置３０に転送してもよいし、集約または要約したデータを送信してもよい。また非常用電源として放電したときのデータのみを送信してもよい。また当該管理部は、監視装置３０から各種指令を受信する。当該管理部は、サーバラック２０内の各電池モジュールの状態、及び監視装置３０からの指令に基づき上記インバータを制御する。
【００４２】
図５は、本発明の実施の形態に係るバックアップ用電源システム１の基本動作を示すフローチャートである。サーバラック２０内の管理部は、サーバラック２０内の各電池モジュールの計測部から各セルの電圧、電流、温度を取得する（Ｓ１０）。当該管理部は、取得した各セルの電圧、電流、温度を、電池モジュールの監視データとして監視装置３０に送信する（Ｓ１１）。当該監視データには、当該管理部により算出された各セルのＳＯＣ、ＳＯＨが含まれていてもよい。
【００４３】
バックアップ用電池ラック１０内の複数のブロック管理部１１ａ〜１３ａは、各電池ブロックＢ１〜Ｂ３内の各電池モジュールの計測部から各セルの電圧、電流、温度を取得する（Ｓ３０）。複数のブロック管理部１１ａ〜１３ａのそれぞれは、取得した各セルの電圧、電流、温度を、電池モジュールの監視データとして監視装置３０に送信する（Ｓ３１）。
【００４４】
監視装置３０の制御部３１は、サーバラック２０内の管理部及びバックアップ用電池ラック１０内の複数のブロック管理部１１ａ〜１３ａから受信した監視データをもとに、各電池モジュールの電池特性を算出する（Ｓ２０）。例えば、各電池モジュールのＳＯＣ、内部抵抗、ＳＯＨ、放電電流量、放電電流量に対する降下電圧などを算出する。これらの電池特性は、時系列の電圧と時系列の電流と各時点における温度をもとに算出することができる。制御部３１は、算出した各電池モジュールの電池特性を使用履歴データベース３２ａに記録する（Ｓ２１）。
【００４５】
監視装置３０の制御部３１は、サーバラック２０内に一次使用を終了すべき電池モジュールが発生したか否かを判定する（Ｓ２２）。例えば、ＳＯＨが所定値（例えば、６０％）に低下した電池モジュールを、サーバラック２０内のバックアップ電池として使用に適さなくなった、一次使用を終了すべき電池モジュールとして選別する。一次使用を終了すべき電池モジュールが発生した場合（Ｓ２２のＹ）、制御部３１は、当該一次使用済みの電池モジュールを加えた状態の、バックアップ用電池ラック１０のシステム構成を決定する（Ｓ２３）。
【００４６】
図６は、図５のフローチャートのステップＳ２３におけるシステム構成決定処理の一例を示すサブルーチンフローチャートである。監視装置３０の制御部３１は、当該一次使用済みの電池モジュールの状態を特定するとともに、当該一次使用済みの電池モジュールの電池性能を算出する（Ｓ２３１）。例えば制御部３１は、当該一次使用済みの電池モジュールの劣化曲線を推定する。その際、異なる複数の充放電制御パターンで使用した場合の劣化曲線を複数パターン推定する。これにより、充放電制御パターンごとの寿命を予測することができる。二次電池は、使用するＳＯＣ範囲が狭いほど劣化速度が低下する。従って、一次使用済みの電池モジュールの寿命を延ばすには、使用するＳＯＣ範囲を狭く（放電深度を浅く）設定すればよい。
【００４７】
また制御部３１は、当該一次使用済みの電池モジュールの充電特性と放電特性を推定する。二次電池は劣化が進行すると、充電曲線及び放電曲線上において、電圧の変化が少ない平坦な部分が減少していく。リユース品の場合、電池モジュールの充電特性と放電特性は、電池モジュールごとにばらばらになる。またリユース品の場合、定電流（ＣＣ）充電時の動的な充電特性、定電流（ＣＣ）放電時の動的な放電特性も電池モジュールごとにばらばらになる。新品の場合、定電流充電または定電流放電すると、電池モジュールのＳＯＣは基本的に線形に上昇または低下していく。これに対してリユース品の場合、ＳＯＣが電池モジュールごとに異なる曲線で上昇または低下していく。即ち、リユース品では劣化状態に応じて、電池モジュールの出力電圧が瞬時瞬時に不規則に変動する。
【００４８】
制御部３１は、バックアップ用電池ラック１０に追加する一次使用済みの電池モジュールの電池性能（主に劣化曲線）をもとに、所望の寿命到達日に応じた使用ＳＯＣ範囲（放電深度）を決定する（Ｓ２３２）。所望の寿命到達日は、例えば、バックアップ用電池ラック１０内の他の電池モジュールの予測される寿命到達日に合わせた日に設定されてもよい。
【００４９】
制御部３１は、バックアップ用電池ラック１０内の他の電池モジュールと、追加する一次使用済みの電池モジュールの使用ＳＯＣ範囲に応じた放電特性を前提に、要求仕様を満たす電池モジュールのシステム構成の候補を導出する（Ｓ２３３）。使用ＳＯＣ範囲を狭く設定する場合（例えば、３０％−７０％）、ＳＯＣの低下に伴い放電電流を大きく減少させる必要がある。従って、使用ＳＯＣ範囲が狭く設定された電池モジュールを含む電池ブロックでは、バックアップ電源として要求される電力容量を満たすために、電池モジュールの数を増やしてマージンを持たせる必要がある。
【００５０】
反対に、使用ＳＯＣ範囲を広く設定する場合（例えば、１０％−９０％）、ＳＯＣの低下に伴う放電電流の減少を小さく抑えることができる。従って、使用ＳＯＣ範囲が広く設定された電池モジュールを含む電池ブロックでは、容量のマージンを小さくすることができ、電池モジュールの数を減らすことができる。ただし、上述のように使用ＳＯＣ範囲を広く設定すると、寿命が短くなる。
【００５１】
制御部３１は、導出した電池モジュールのシステム構成の候補の内、各電池ブロックＢ１〜Ｂ３の動的な放電特性が近似するシステム構成を選択する（Ｓ２３４）。上述のようにリユース品の電池モジュールは特性がばらばらである。電池モジュールごとに出力電圧がばらばらであり、放電中の出力電圧の時系列変化もばらばらである。またＳＯＣごとの出力電圧もばらばらである。従って、バックアップ用電池ラック１０から非常用電源を施設内の負荷４０に供給する際は、各電池ブロックＢ１〜Ｂ３のＤＣ／ＤＣコンバータ１１〜１３で、各電池ブロックの出力電圧を揃える必要がある。各電池ブロックＢ１〜Ｂ３の出力電圧の中には、ＤＣ／ＤＣコンバータで大きく昇圧する必要がある電池ブロックもあれば、昇圧が必要ない電池ブロックもある。
【００５２】
図７（ａ）、（ｂ）は、定電流放電時の複数の電池ブロックＢ１〜Ｂ３のＳＯＣの動特性を説明するための図である。図７（ａ）は、複数の電池ブロックＢ１〜Ｂ３にリユース品を使用した場合のＳＯＣの動特性の一例を示す図である。各電池ブロックＢ１〜Ｂ３のＤＣ／ＤＣコンバータ１１〜１３は複数の電池ブロックＢ１〜Ｂ３の出力電圧を揃えるために、各ＤＣ／ＤＣコンバータ１１〜１３の出力電圧を共通の目標電圧に一致させるように、デューティ比及び／又は周波数をフィードバック制御により適応的に調整する。図７（ｂ）は、各電池ブロックＢ１〜Ｂ３のＤＣ／ＤＣコンバータ１１〜１３により出力電圧が理想的に調整された場合のＳＯＣの動特性を示す図である。
【００５３】
以上を踏まえステップＳ２３４では、各電池ブロックＢ１〜Ｂ３のＳＯＣの動特性ができるだけ近似するように、各電池ブロックＢ１〜Ｂ３に採用する電池モジュールの組み合わせと接続構成を決定する。即ち、各電池ブロックＢ１〜Ｂ３の出力電圧となる複数の電池モジュールの合計電圧が、電池ブロックＢ１〜Ｂ３ごとに、共通の目標電圧に近い位置でできるだけ安定している組み合わせを決定する。例えば、出力電圧が目標電圧より低い電池モジュールを含む電池ブロックでは、出力電圧が目標電圧より高い電池モジュールを含めることにより、当該電池ブロックの出力電圧を目標電圧に近づけることができる。
【００５４】
ステップＳ２３４において、各電池ブロックＢ１〜Ｂ３のＳＯＣの動特性が最も近似するシステム構成を選択すると、最も高効率なシステムを構築することができる。
【００５５】
各電池ブロックＢ１〜Ｂ３のＤＣ／ＤＣコンバータ１１〜１３は放電時、各電池ブロックＢ１〜Ｂ３の使用ＳＯＣ範囲に応じて、出力電流の上限値（リミッタ値）を低下させていく。即ち、出力電圧が一定の状態においてＳＯＣの低下に応じて、出力電流の上限値を低下させていく。この出力電流の上限値の低下の傾きは、使用ＳＯＣ範囲が狭いほど急な角度に設定される。
【００５６】
さらにステップＳ２３４で選択されるシステム構成は、上記出力電流の上限値の制限により放電電流が低下する電池ブロックが含まれていても、並列接続された複数の電池ブロックＢ１〜Ｂ３全体の放電電流が要求仕様を満たしている必要がある。例えば、各電池ブロックＢ１〜Ｂ３の放電可能容量が、各電池ブロックＢ１〜Ｂ３に要求される容量に対して３０％以上のマージンを持っていることが好ましい。
【００５７】
図５のフローチャートに戻る。ステップＳ２３により決定されたシステム構成に基づき、作業者はバックアップ用電池ラック１０を再構築する。監視装置３０の制御部３１は、バックアップ用電池ラック１０内に寿命に到達した電池モジュールが発生したか否かを判定する（Ｓ２４）。なお、寿命と判定される電池性能（例えば、ＳＯＨ、内部抵抗）の閾値は、電池メーカにより推奨されている値を使用してもよいし、データセンタＣ１の管理者が決定した値を使用してもよい。バックアップ用電池ラック１０内に寿命に到達した電池モジュールが発生した場合（Ｓ２４のＹ）、制御部３１は、当該寿命に到達した電池モジュールを除いた状態の、バックアップ用電池ラック１０のシステム構成を決定する（Ｓ２５）。システム構成の決定方法は、図６に示したシステム構成の決定処理と同様のものを使用することができる。
【００５８】
ステップＳ２３のシステム構成の決定処理は、バックアップ用電池ラック１０に既に格納されている電池モジュールの配置を変えずに、新たに追加する電池モジュールの格納位置を決定する処理であってもよい。この場合、監視装置３０の制御部３１は、追加する電池モジュールの算出された性能結果から、当該電池モジュールをバックアップ用電池ラック１０のどの電池ブロックに含めると、データセンタＣ１で要求されるトータルパフォーマンスが最大になるかを考慮して当該電池モジュールの格納位置を決定する。なお、既に格納されている電池モジュールの配置も含めて、システム構成全体を再構築したほうが、トータルパフォーマンスは、より改善される。
【００５９】
また所定のタイミングで、サーバラック２０内の複数の電池モジュールを同時に新品に交換してもよい。その場合、劣化度が異なる複数の一次使用済みの電池モジュールが発生する。例えば異なる劣化度の電池モジュールＭａ、電池モジュールＭｂがある場合において、電池モジュールＭｂの劣化度が電池モジュールＭａの劣化度より進行している場合、電池モジュールＭｂで構成される電池ブロックは、電池モジュールＭａで構成される電池ブロックより、直列数及び／又は並列数が多くなるように決定される。つまりある程度、劣化の進んだ電池モジュールを用いてバックアップ用電池ラック１０の電池ブロックを構成する場合、一定の電圧と電流を賄うためにより多くの直列数または並列数が必要となる。このように、使用する電池モジュールの劣化度に応じて電池ブロックを構成する電池モジュールの直列数および並列数を決定することにより、データセンタＣ１の規模や使用用途に合わせた電池モジュールのパッケージングが可能となる。
【００６０】
また上述のように、データセンタＣ１で必要とされる仕様条件に対して、バックアップ用電池ラック１０の各ＤＣ／ＤＣコンバータ１１〜１３への充放電制御方法を可変することによる適用可否も考慮する。例えば電池モジュールの劣化度から、このまま使用した場合、予定寿命より早く寿命に到達することが予想されるときは、当該電池モジュールにかかるＤＣ／ＤＣコンバータの充放電を浅く制御する。これにより、電池モジュールに対する負荷を減らすることができ、より長い期間使用できるようになる。寿命より性能を重視する場合は、より深い充放電制御とすることでより多くの電力を供給できる。このように放電深度を調整することにより、電池モジュールの柔軟な使用方法を実現できる。即ち、電池寿命を優先した使用方法と、電池出力性能を優先した使用方法を適宜、使い分けることができる。
【００６１】
このようにシステムで要求される仕様条件を考慮して、サーバラック２０で使用されている電池モジュールの状態（充電容量、内部抵抗等）から、その電池性能に適した二次利用先であるバックアップ用電池ラック１０の格納位置と電池モジュールの直並列接続構成を決定する。バックアップ用電池ラック１０のＤＣ／ＤＣコンバータ１１〜１３により電池モジュールの性能に適した充放電制御をすることで、システムに必要なトータルパフォーマンスを実現することが可能となる。さらにバックアップ用電池ラック１０に移転された各電池モジュールも監視装置３０により常時その状態が監視される。これにより、バックアップ用電池ラック１０内の電池モジュールもサーバラック２０内の電池モジュールと同様に、目的の性能（蓄電容量、放電電流量、運用年数等）を維持しつつ、システム全体として要求される仕様条件を満たすように稼働保証を行っていく。例えば、バックアップ用電池ラック１０内の複数の電池モジュールの状態に応じて当該複数の電池モジュールの接続構成を定期的に変更することで、要求される仕様条件を継続的に満たすことができる。
【００６２】
サーバラック２０からバックアップ用電池ラック１０への各電池モジュールの移転作業は、監視装置３０の指示により作業者が行ってもよいし、ロボット搬送機等を用いて自動で行ってもよい。
【００６３】
バックアップ用電池ラック１０における複数の電池モジュールの直並列構成が決定された後、各電池モジュールは、バックアップ用電池ラック１０内の各列において下から順に格納場所に装着される。手作業の場合、作業者は各列の下から順に、指定された電池ブロックの電池モジュールを装着していく。これにより、バックアップ用電池ラック１０の重心が低くなり、バックアップ用電池ラック１０が物理的に安定する。また、電池モジュールの直列数が異なる電池ブロックの左右方向の配置を、バックアップ用電池ラック１０の重心ができるだけ中心に来るように決定する。これにより、バックアップ用電池ラック１０が物理的に安定する。
【００６４】
以上説明したように本実施の形態によれば、同じデータセンタＣ１内のサーバラック２０で使用されていた電池モジュールをバックアップ用電池ラック１０にそのまま再利用する。これにより回収、輸送、再設置、リパック等の電池モジュールの二次利用で通常発生する費用を削減することができる。
【００６５】
バックアップ用電池ラック１０の各電池モジュールは、同じデータセンタＣ１内のサーバラック２０で使用され監視されていたものである。従ってその使われ方や劣化状態の履歴が記録されており、電池モジュール同士の組み合わせ状態に応じた電池バランスや放電量、この先の劣化進行状況などを容易に予測することができる。よって各データセンタの規模や要求に適した効率的な運用が可能となる。また電池モジュールの直並列接続構成を自在に変更可能であるため、それぞれの電池モジュールの状態に合わせた充放電制御が可能である。従って二次利用先の使用用途に合わせたパッケージングと、要求仕様への柔軟な対応が可能となる。
【００６６】
また１つのＤＣ／ＤＣコンバータに接続された複数の電池モジュールごとに１つの電池ブロックを構成している。従ってメンテナンスする電池ブロックのＤＣ／ＤＣコンバータを停止させることで、他の電池ブロックに影響を与えず、システム全体を停止させることなく電池モジュールの交換が可能となる。これにより稼働率（可用性）を向上させることができる。
【００６７】
以上、本発明を実施の形態をもとに説明した。実施の形態は例示であり、それらの各構成要素や各処理プロセスの組み合わせにいろいろな変形例が可能なこと、またそうした変形例も本発明の範囲にあることは当業者に理解されるところである。
【００６８】
上述の実施の形態では、各電池モジュールＭｎ内にＤＣ／ＤＣコンバータが含まれていない例を説明した。この点、各電池モジュールＭｎ内にＤＣ／ＤＣコンバータが含まれている電池モジュールもある。
【００６９】
図８は、変形例に係る電池ブロックＢｎの構成例１を示す図である。図８に示す電池ブロックＢｎは、複数の電池モジュールＭ１〜Ｍｎ、充電用ＤＣ／ＤＣコンバータ１１ｃ、放電用ＤＣ／ＤＣコンバータ１１ｄを備える。各電池モジュールＭ１〜Ｍｎは、電池部Ｍ１ａ〜Ｍｎａと、ＤＣ／ＤＣコンバータＭ１ｃ〜Ｍｎｃをそれぞれ含む。なお図８では簡略化のため、電池モジュール内の計測部と、ブロック管理部を省略して描いている。
【００７０】
図８に示す電池ブロックＢｎでは充電経路と放電経路が別々に設けられる。各電池モジュールＭ１〜Ｍｎ内の各ＤＣ／ＤＣコンバータＭ１ｃ〜Ｍｎｃは放電専用のＤＣ／ＤＣコンバータである。各ＤＣ／ＤＣコンバータＭ１ｃ〜Ｍｎｃは、各電池部Ｍ１ａ〜Ｍｎａの放電電圧／放電電流を個別に制御することができる。複数のＤＣ／ＤＣコンバータＭ１ｃ〜Ｍｎｃの出力はバス型の放電経路に接続され、当該放電経路は、放電用ＤＣ／ＤＣコンバータ１１ｄの入力端子に接続される。充電用ＤＣ／ＤＣコンバータ１１ｃの出力はバス型の充電経路に接続され、複数の電池部Ｍ１ａ〜Ｍｎａの充電端子は当該バス型の充電経路に対して並列に接続される。
【００７１】
図９は、変形例に係る電池ブロックＢｎの構成例２を示す図である。構成例２では、各電池モジュールＭ１〜Ｍｎ内の各ＤＣ／ＤＣコンバータＭ１ｃ〜Ｍｎｃの出力端子は、それぞれ独立に放電用ＤＣ／ＤＣコンバータ１１ｄの入力端子に接続される。このように放電用ＤＣ／ＤＣコンバータ１１ｄ内でスター結線することにより、図８に示すようにバス型に結線する場合と比較して、複数のＤＣ／ＤＣコンバータＭ１ｃ〜Ｍｎｃ間の横流を低減することができる。
【００７２】
また上述の実施の形態では、監視装置３０がデータセンタＣ１内の監視室Ｒ３に設置される例を説明した。この点、監視装置３０はデータセンタＣ１以外の遠隔地に設置されていてもよい。例えば、別のデータセンタのクラウドサーバを利用してもよい。
【００７３】
また上述の実施の形態ではサーバラック２０内で一次利用済みの電池モジュールを、バックアップ用電池ラック１０内で二次利用する例を説明した。この点、バックアップ用電池ラック１０内で二次利用済みの電池モジュールを、より重要性の低い負担の軽い用途で三次利用してもよい。バックアップ用電池ラック１０内の電池モジュールも監視装置３０による監視対象にすることにより、その後の移転計画を実行することができ、電池モジュールを最後まで有効利用することができる。なお、三次利用はデータセンタＣ１以外の用途で使用されてもよい。
【００７４】
また上述の実施の形態に係るバックアップ用電源システム１は、データセンタＣ１に限らず、工場やオフィスビル等のバックアップ用電源システムにも同様に適用可能である。また上述の実施の形態に係るバックアップ用電源システム１は、データセンタＣ１に、電池モジュールが格納されているサーバラックと、電池モジュールが格納されていないサーバラックとが混在している場合などは、サーバにも非常用電源を供給することは可能である。
【００７５】
なお、実施の形態は、以下の項目によって特定されてもよい。
【００７６】
［項目１］
データセンタ（Ｃ１）内に設置され、サーバ（ＳＶ１）と、前記サーバ（ＳＶ１）に非常用電源を供給可能な少なくとも１つの電池モジュール（Ｍ１）と、を有するサーバラック（２０）と、
前記データセンタ（Ｃ１）内に設置され、前記サーバ（ＳＶ１）以外の設備に、非常用電源を供給可能な複数の電池モジュール（Ｍ１１〜Ｍ３ｎ）を有するバックアップ用電池ラック（１０）と、
前記電池モジュール（Ｍｎ）ごとの電池特性を監視する監視装置（３０）と、を備え、
前記バックアップ用電池ラック（１０）で使用される複数の電池モジュール（Ｍ１１〜Ｍ３ｎ）は、前記サーバラック（２０）の非常用電源として一次使用済みの複数の電池モジュール（Ｍ１１〜Ｍ３ｎ）であり、
前記監視装置（３０）は、前記バックアップ用電池ラック（１０）に要求される仕様と、前記サーバラック（２０）で一次使用済みの電池モジュール（Ｍ１）の履歴特性に基づき、前記バックアップ用電池ラック（１０）における前記複数の電池モジュール（Ｍ１１〜Ｍ３ｎ）のシステム構成を決定する、
データセンタ（Ｃ１）のバックアップ用電源システム（１）。
【００７７】
これによれば、データセンタ（Ｃ１）で使用される電池モジュール（Ｍ１）のリユースを低コストで実現することができる。
【００７８】
［項目２］
前記バックアップ用電池ラック（１０）は、複数の列を備え、
各列には、
着脱自在な複数の一次使用済みの電池モジュール（Ｍ１１〜Ｍ１ｎ、Ｍ２１〜Ｍ２ｎ、Ｍ３１〜Ｍ３ｎ）と、
前記複数の一次使用済みの電池モジュール（Ｍ１１〜Ｍ１ｎ、Ｍ２１〜Ｍ２ｎ、Ｍ３１〜Ｍ３ｎ）の充放電を制御するＤＣ／ＤＣコンバータ（１１〜１３）と、
が配置され、
前記複数の列に配置された複数のＤＣ／ＤＣコンバータ（１１〜１３）は、並列に接続され、
前記監視装置（３０）は、前記バックアップ用電池ラック（１０）内の複数の電池ブロック（Ｂ１〜Ｂ３）の電池性能が近づくように、前記バックアップ用電池ラック（１０）内で使用される複数の一次使用済みの電池モジュール（Ｍ１１〜Ｍ３ｎ）の直並列構成を決定する、
項目１に記載のデータセンタ（Ｃ１）のバックアップ用電源システム（１）。
【００７９】
これによれば、複数の一次使用済みの電池モジュール（Ｍ１１〜Ｍ１ｎ、Ｍ２１〜Ｍ２ｎ、Ｍ３１〜Ｍ３ｎ）で、要求される仕様を満たすバックアップ用電池ラック（１０）を構築することができる。
【００８０】
［項目３］
前記監視装置（３０）は、前記複数の電池ブロック（Ｂ１〜Ｂ３）の動的な放電特性が近づくように、前記バックアップ用電池ラック（１０）内で使用される複数の一次使用済みの電池モジュール（Ｍ１１〜Ｍ３ｎ）の直並列構成を決定する、
項目２に記載のデータセンタ（Ｃ１）のバックアップ用電源システム（１）。
【００８１】
これによれば、ＤＣ／ＤＣコンバータ（１１〜１３）での変換ロスを低減することができる。
【００８２】
［項目４］
前記複数の列に配置された複数のＤＣ／ＤＣコンバータ（１１〜１３）は、前記複数の電池ブロック（Ｂ１〜Ｂ３）の出力電圧が共通の目標電圧を維持するように、各電池ブロックに含まれる複数の一次使用済みの電池モジュール（Ｍ１１〜Ｍ１ｎ、Ｍ２１〜Ｍ２ｎ、Ｍ３１〜Ｍ３ｎ）を放電制御する、
項目２または３に記載のデータセンタ（Ｃ１）のバックアップ用電源システム（１）。
【００８３】
これによれば、放電時において、並列接続された複数の電池ブロック（Ｂ１〜Ｂ３）間の横流を抑制することができる。
【００８４】
［項目５］
前記監視装置（３０）は、各電池ブロック（Ｂ１〜Ｂ３）の使用ＳＯＣ(State Of Charge)範囲をもとに、前記バックアップ用電池ラック（１０）に要求される仕様を満たすように、前記バックアップ用電池ラック（１０）内で使用される複数の一次使用済みの電池モジュール（Ｍ１１〜Ｍ３ｎ）の直並列構成を決定する、
項目２から４のいずれか１項に記載のデータセンタ（Ｃ１）のバックアップ用電源システム（１）。
【００８５】
これによれば、各電池ブロック（Ｂ１〜Ｂ３）の使用ＳＯＣ(State Of Charge)範囲を柔軟に設定でき、寿命を優先するか出力性能を優先するかを適宜、使い分けすることができる。
【００８６】
［項目６］
前記各列の複数の一次使用済みの電池モジュール（Ｍ１１〜Ｍ１ｎ、Ｍ２１〜Ｍ２ｎ、Ｍ３１〜Ｍ３ｎ）は、各列において下から順に格納される、
項目１から５のいずれか１項に記載のデータセンタ（Ｃ１）のバックアップ用電源システム（１）。
【００８７】
これによれば、バックアップ用電池ラック（１０）を物理的に安定させることができる。
【００８８】
［項目７］
データセンタ（Ｃ１）内に設置され、サーバ（ＳＶ１）と、前記サーバ（ＳＶ１）に非常用電源を供給可能な少なくとも１つの電池モジュール（Ｍ１）と、を有するサーバラック（２０）と、前記電池モジュール（Ｍｎ）ごとの電池特性を監視する監視装置（３０）と、を備えるデータセンタ（Ｃ１）のバックアップ用電源システム（１）に含まれ、前記データセンタ（Ｃ１）内に設置され、前記サーバ（ＳＶ１）以外の設備に、非常用電源を供給可能な複数の電池モジュール（Ｍ１１〜Ｍ３ｎ）を有するバックアップ用電池ラック（１０）であって、
前記バックアップ用電池ラック（１０）で使用される複数の電池モジュール（Ｍ１１〜Ｍ３ｎ）は、前記サーバラック（２０）の非常用電源として一次使用済みの複数の電池モジュール（Ｍ１１〜Ｍ３ｎ）であり、
前記バックアップ用電池ラック（１０）における前記複数の電池モジュール（Ｍ１１〜Ｍ３ｎ）のシステム構成は、前記監視装置（３０）により、前記バックアップ用電池ラック（１０）に要求される仕様と、前記サーバラック（２０）で一次使用済みの電池モジュール（Ｍ１）の履歴特性に基づき、決定される、
データセンタ（Ｃ１）のバックアップ用電池ラック（１０）。
【００８９】
これによれば、データセンタ（Ｃ１）で使用される電池モジュール（Ｍ１）のリユースを低コストで実現することができる。
【符号の説明】
【００９０】
Ｃ１  データセンタ
Ｒ１  バックアップ電源室
Ｒ２  サーバ室
Ｒ３  監視室
１０  バックアップ用電池ラック
２０  サーバラック
３０  監視装置
４０  負荷
Ｍ１〜Ｍ３ｎ  電池モジュール
ＳＶ１  サーバ
１  バックアップ用電源システム
２  商用電力系統
Ｂ１−Ｂ３  電池ブロック
１１〜１３  ＤＣ／ＤＣコンバータ
５０  電力変換装置
５０ａ  マスタ管理部
１１ａ〜１３ａ  ブロック管理部
３１  制御部
３２  記憶部
３２ａ  使用履歴データベース
３３  通信部
３４  表示部
３５  操作部
Ｍ１ａ〜Ｍｎａ  電池部
Ｍｎ１〜Ｍｎｂ  計測部
Ｍ１ｃ〜Ｍｎｃ  ＤＣ／ＤＣコンバータ
１１ｃ  充電用ＤＣ／ＤＣコンバータ
１１ｄ  放電用ＤＣ／ＤＣコンバータ
【図１】
2019207852.tif 000003
【図２】
2019207852.tif 000004
【図３】
2019207852.tif 000005
【図４】
2019207852.tif 000006
【図５】
2019207852.tif 000007
【図６】
2019207852.tif 000008
【図７】
2019207852.tif 000009
【図８】
2019207852.tif 000010
【図９】
2019207852.tif 000011
【国際調査報告】
2019207852.tif 000012
2019207852.tif 000013
2019207852.tif 000014